(57)【要約】【課題】  遊技機のレール接続部分に段差が生じることを確実に防止できて、遊技球の詰りを防止することができるようにする。【解決手段】  パチンコ機２１の裏面において、遊技球の球圧を減圧するカーブレール８の上開口端部１８と、上面が開放されて遊技球が単列または複数列で流れるタンクレール４の下流端部６とが、突合せにより接続されている。当該上開口端部１８の前側壁１４の外面には、タンクレール４の前側壁１１の外面に当接するように張出す定形付与部材１４ａが一体に形成されている。この定形付与部材１４ａは、遊技球の自重による球圧によりタンクレール４の前側壁１１が手前側に倒れるような力を受けても、その倒れを阻止する。【選択図】  図１
2006149753.tif 000002
【特許請求の範囲】
【請求項１】
遊技球が単列または複数列で流れるタンクレールと、遊技球の球圧を減圧するカーブレールとを接続するようにした遊技機のレール接続構造であって、
前記カーブレールの前側壁の外面から、前記タンクレールの前側壁の外面に当接または当接可能に張出す定形付与部材を備えたことを特徴とする遊技機のレール接続構造。
【請求項２】
遊技球が単列または複数列で流れるタンクレールと、遊技球の球圧を減圧するカーブレールとを接続するようにした遊技機のレール接続構造であって、
前記タンクレールの前側壁の外面から、前記カーブレールの前側壁の外面に当接または当接可能に張出す定形付与部材を備えたことを特徴とする遊技機のレール接続構造。
【請求項３】
請求項１に記載の遊技機のレール接続構造において、前記定形付与部材は、当該カーブレールと一体に形成されていることを特徴とする遊技機のレール接続構造。
【請求項４】
請求項２に記載の遊技機のレール接続構造において、前記定形付与部材は、当該タンクレールと一体に形成されていることを特徴とする遊技機のレール接続構造。
【発明の詳細な説明】
【技術分野】
【０００１】
本発明は、遊技球が単列または複数列で流れるタンクレールと、遊技球の球圧を減圧するカーブレールとを接続するようにした遊技機のレール接続構造に関する。
【背景技術】
【０００２】
従来より、遊技機の裏面には、その裏面全体を覆うような合成樹脂製の機構板が開閉自在に装着され、当該機構板の上部には、球落下口を有するタンクが配設されている。このタンクの下方には、遊技球を単列または複数列で流すタンクレールが設けられており、これは上面が開放された形状をなしている。そして、このタンクの球落下口と当該タンクレールの上流端部とが接続されている。他方、当該タンクレールの下流端部には、遊技球の球圧を減圧するために、湾曲部を有するカーブレールが突合せにより接続され、このカーブレールの下方には遊技球払出装置などが配設されている（例えば、特許文献１参照）。
【０００３】
このように構成された遊技板の裏面において、前記タンク内の遊技球は、前記タンクレール及び前記カーブレールを通って前記遊技球払出装置側へ流下するようになっている。
【特許文献１】特開平０９−２０６４４７号公報
【発明の開示】
【発明が解決しようとする課題】
【０００４】
しかしながら、このような従来の遊技機において遊技球が前記タンク内から前記遊技球払出装置側へ流下する場合、次のような問題があった。
【０００５】
即ち、前記タンクレールの上面は開放されており、且つ当該タンクレールの奥側壁のみが機構板に固定されるので、当該タンクレールを型成形したときの歪みにより、当該奥側壁と前側壁との巾寸法が、当該タンクレールの底面から上方になるにつれ、当初の巾寸法より巾広であったり巾狭であったりすることがある。又、成形歪みが無い場合でも、遊技球の自重による球圧により前記タンクレールの前側壁が倒れる惧れがある。前者、後者の何れの場合でも、前記タンクレールと前記カーブレールとの接続部分に段差が生じて遊技球の流れが悪くなり、ひいては遊技球が詰まることがあった。
【０００６】
本発明は上述の事情に鑑みてなされたものであり、その目的は、遊技機のレール接続部分に段差が生じることを確実に防止できて、遊技球の詰りを防止することができる遊技機のレール接続構造を提供するにある。
【課題を解決するための手段】
【０００７】
請求項１の発明は、遊技球が単列または複数列で流れるタンクレールと、遊技球の球圧を減圧するカーブレールとを接続するようにした遊技機のレール接続構造であって、
前記カーブレールの前側壁の外面から、前記タンクレールの前側壁の外面に当接または当接可能に張出す定形付与部材を備えたところに特徴を有する。
【０００８】
この構成によれば、当該タンクレールに成形時の歪み特には当該タンクレールの前側壁が手前側へ倒れる形態の歪みがあったとしても、当該定形付与部材により当該タンクレールの前側壁を当該カーブレールの前側壁と面一となる所定の定形状態に矯正でき、又、遊技球の自重による球圧により当該タンクレールの前側壁が手前側に倒れるような力を受けても、当該定形付与部材により、その倒れを阻止でき、つまり所定の定形を保持でき、総じて当該タンクレールと当該カーブレールとの接続部分に段差が生じることを確実に防止できる。
【０００９】
請求項２の発明は、遊技球が単列または複数列で流れるタンクレールと、遊技球の球圧を減圧するカーブレールとを接続するようにした遊技機のレール接続構造であって、
前記タンクレールの前側壁の外面から、前記カーブレールの前側壁の外面に当接または当接可能に張出す定形付与部材を備えたところに特徴を有する。
【００１０】
この構成によれば、当該タンクレールに成形時の歪み特には当該タンクレールの前側壁が奥側に倒れる形態の歪みがあったとしても、当該タンクレール自体に設けた当該定形付与部材が当該カーブレールの前側壁の外面に当接することになるので、当該タンクレールの前側壁を当該カーブレールの前側壁と面一となる所定の定形状態に矯正でき、総じて当該タンクレールと当該カーブレールとの接続部分に段差が生じることを確実に防止できる。
【００１１】
請求項３の発明は、請求項１に記載の遊技機のレール接続構造において、前記定形付与部材は、当該カーブレールと一体に形成されているところに特徴を有し、これによれば、当該定形付与部材ないし当該カーブレールの製造コスト及び組立コストを抑制できる。
請求項４の発明は、請求項２に記載の遊技機のレール接続構造において、前記定形付与部材は、当該タンクレールと一体に形成されているところに特徴を有し、これによれば、当該定形付与部材ないし当該タンクレールの製造コスト及び組立コストを抑制できる。
【発明の効果】
【００１２】
以上のように、本発明の遊技機のレール接続構造によれば、遊技機のレール接続部分に段差が生じることを確実に防止できて、遊技球の詰りを防止することができる。
【発明を実施するための最良の形態】
【００１３】
以下、本発明をパチンコ機に適用した第一の実施例について図１、図２及び図３を参照しながら説明する。図1は遊技機裏面の部分図、図２は遊技機裏面の全体図、図３はタンクレールの縦断側面図である。
図２に示すように、遊技機たるパチンコ機２１の裏面には、その裏面全体を覆うような合成樹脂製の機構板１が開閉自在に装着され、機構板１の上部には、球落下口２を有するタンク３が配設されている。このタンク３の下方には、遊技球を単列または複数列で流すタンクレール４が設けられており、これは上面が開放された形状をなしている。そして、このタンク３の球落下口２とタンクレール４の上流端部５とが接続されている。他方、タンクレール４の下流端部６には、遊技球の球圧を減圧するために、湾曲部７を有するカーブレール８が突合せにより接続され、このカーブレール８の下方には遊技球払出装置９などが配設されている
【００１４】
さて、上記タンクレール４は、上面が開放されて、前側壁（パチンコ機２１の裏側から見て前側の壁）１１、奥側壁１２、及び底面１３とにより断面が略コ字形をなし、（図３参照）球経路１０が形成されている。タンクレール４の取付は、奥側壁１２を右方向（図２中、左から右）へ機構板１に当接しながらスライドさせ、タンクレール４の下流端部６とカーブレール８との突合せにより接続される位置で、奥側壁１２のみが機構板１にビス止めにより固着されることで行われる。
【００１５】
上記カーブレール８は、図１に示すように前側壁１４、奥側壁１５、左曲壁１６及び右曲壁１７とにより断面が略ロ字形をなし、これにより、カーブレール８の内部には遊技球の流通経路が形成されている。
カーブレール８の上方（図１中、上方）の上開口端部１８はタンクレール４の下流端部６と突合せにより接続されており、当該上開口端部１８の前側壁１４の外面には、タンクレール４の前側壁１１の外面に当接するように張出す定形付与部材１４ａが形成されている。この定形付与部材１４ａはカーブレール８の前側壁１４と一体に形成されている。
【００１６】
カーブレール８には、上開口端部１８からカーブレール８の下方（図２中、右方中央）の下開口端部１９に至るまでの間に湾曲部７が形成され、当該下開口端部１９は、遊技球払出装置９と接続されている。カーブレール８の取付は、左曲壁１６及び右曲壁１７に一体形成される複数の取付部材２０を機構板１にビス止めすることにより行われる。
【００１７】
次に、上記のように構成された遊技機のレール接続構造の作用について説明する。
まず、タンク３内の遊技球は、球落下口２からタンクレール４の上流端部５を通って、下流端部６に向って流下する。
この時、タンクレール４の前側壁１１は、タンク３より連なって流下する複数の遊技球の自重による球圧により手前側（図１中、矢印α方向）に倒れるような力を受ける。しかし、カーブレール８の前側壁１４の外面からは、タンクレール４の前側壁１１の外面に当接するように張出す定形付与部材１４ａが形成されている。このため、タンクレール４の前側壁１１が手前側に倒れるような力を受けても、当該定形付与部材１４ａにより、その倒れを阻止できる。つまり、所定の定形（カーブレール８の突合せ端面と同じ形状）を保持できる。
その後、遊技球は、タンクレール４の下流端部６及びカーブレール８の上開口端部１８を通って、カーブレール８の湾曲部７により、球圧が減圧されてから、遊技球払出装置９側へ流下するようになっている。
【００１８】
このような本実施例によれば、遊技球の自重による球圧によりタンクレール４の前側壁１１が手前側に倒れるような力を受けても、定形付与部材１４ａにより、その倒れを阻止できる。つまり、タンクレール４の所定の定形を保持できる。また、当該タンクレール４に成形時の歪み特には当該タンクレール４の前側壁１１が手前側へ倒れる形態の歪みがあったとしても、当該定形付与部材１４ａによりタンクレールの前側壁１１を当該カーブレール８の前側壁１４と面一となる所定の定形状態に矯正でき、総じてタンクレール４とカーブレール８との接続部分に段差が生じることを確実に防止できて、遊技球の詰りを防止することができる。
【００１９】
また、定形付与部材１４ａは、カーブレール８の前側壁１４の外面から、タンクレール４の前側壁１１の外面に当接するように張出す部位に形成され、且つタンクレール４の取付は、奥側壁１２を右方向へ機構板１に当接しながら、タンクレール４とカーブレール８との突合せにより接続される位置までスライドさせることにより行われる。従って、定形付与部材１４ａを設けても、従来の組立方法に影響は無く、組立コストを抑制できる。
また、定形付与部材１４ａは、カーブレール８と一体に形成されることから、定形付与部材１４ａないしカーブレールの製造コスト及び組立コストを抑制できる。
【００２０】
図４は、本発明の第二の実施例を示す。なお、図４における第一の実施例と同一の部品は同じ符号を付し、その説明は省略する。
この実施例において、定形付与部材３０は、タンクレール４の下流端部６の前側壁１１と一体に形成されている。即ち、当該下流端部６の前側壁１１の外面には、カーブレール８の前側壁１４の外面に当接するように張出す定形付与部材３０が形成されている。
【００２１】
この構成によれば、タンクレール４に成形時の歪み特にはタンクレール４の前側壁１１が奥側（図４中、矢印β方向）に倒れる形態の歪みがあったとしても、タンクレール４自体に設けた定形付与部材３０がカーブレール８の前側壁１４の外面に当接することになるので、タンクレール４の前側壁１１を当該カーブレール８の前側壁１４と面一となる所定の定形状態に矯正でき、総じてタンクレール４とカーブレール８との接続部分に段差が生じることを確実に防止でき、遊技球の詰りを防止することができる
また、定形付与部材３０は、タンクレール４の前側壁１１の外面から、カーブレール８の前側壁１４の外面に当接するように張出す部位に形成され、且つタンクレール４の取付は、奥側壁１２を右方向へ機構板１に当接しながら、タンクレール４とカーブレール８との突合せにより接続される位置までスライドさせることにより行われる。従って、定形付与部材３０を設けても、従来の組立方法に影響は無く、組立コストを抑制できる。
また、定形付与部材３０は、タンクレール４と一体に形成されることから、定形付与部材３０ないしタンクレール４の製造コスト及び組立コストを抑制できる。
【００２２】
図５は、本発明の第三の実施例を示す。なお、図５における第一の実施例と同一の部品は同じ符号を付し、その説明は省略する。
この実施例において、定形付与部材３１は、タンクレール４の下流端部６の前側壁１１と一体に形成され、他方、定形付与部材３２は、カーブレール８の上開口端部１８の前側壁１４と一体に形成されている。即ち、当該下流端部６の前側壁１１の外面には、カーブレール８の前側壁１４の外面に当接するように張出す定形付与部材３１が形成され、他方、上開口端部１８の前側壁１４の外面には、タンクレール４の前側壁１１の外面に当接するように張出す定形付与部材３２が形成されている。
この構成によれば、タンクレール４に成形時の歪み特にはタンクレール４の前側壁１１が奥側（図５中、矢印γ方向）に倒れる形態の歪みがあったとしても、定形付与部材３１により所定の定形状態に矯正できる。
【００２３】
また定形付与部材３２により、タンクレール４の前側壁１１の手前側（図５中、矢印δ方向）への倒れを阻止できると共に、当該タンクレール４の前側壁１１が手前側へ倒れる形態の歪みがあったとしても、当該定形付与部材３２によりタンクレール４の前側壁１１を当該カーブレール８の前側壁１４と面一となる所定の定形状態に矯正でき、総じてタンクレール４とカーブレール８との接続部分に段差が生じることを確実に防止できる。よって、遊技球の詰りを防止することができる。
【００２４】
なお、本発明の実施例は上記し且つ図面に記載した各実施例に限定されるものではなく、例えば次のような変型または拡張が可能である。
例えば、本発明の第四の実施例として示す図６のタンクレール４０のように遊技球が二列で流れる構成としても良いし、本発明の第五の実施例として示す図７のタンクレール４１のように三列でも良い。
また、定形付与部材は、相手側に当接しても良いし、微小なクリアランスがあって当接可能でも良い。
【図面の簡単な説明】
【００２５】
【図１】本発明の第一の実施例を示す遊技機裏面の部分斜視図
【図２】遊技機裏面の全体の斜視図
【図３】タンクレールの縦断側面図
【図４】本発明の第二の実施例を示す図１相当図
【図５】本発明の第三の実施例を示す図１相当図
【図６】本発明の第四の実施例を示す図３相当図
【図７】本発明の第五の実施例を示す図３相当図
【符号の説明】
【００２６】
図面中、４はタンクレール、８はカーブレール、１１は前側壁、１４は前側壁、１４ａは定形付与部材、２１は遊技機、３０、３１、３２は定形付与部材を示す。
【図１】
2006149753.tif 000003
【図２】
2006149753.tif 000004
【図３】
2006149753.tif 000005
【図４】
2006149753.tif 000006
【図５】
2006149753.tif 000007
【図６】
2006149753.tif 000008
【図７】
2006149753.tif 000009